(57)【特許請求の範囲】
【請求項１】
商用電源に接続されたトランスＴの二次側の一方点０１にダイオードＤ０のアノード側が接続され、該ダイオードＤ０のカソード側に負荷Ｌの一方が接続され、負荷Ｌの他方はトランスＴの他方点０２に接続され、該負荷Ｌに並列に接続されたコンデンサＣ０とからなるシリーズ電源の交流入力整流出力変換回路において、上記ダイオードＤ０のアノード側に整流用ダイオードＤ１のアノード側が、該ダイオードＤ１のカソード側には逆流防止用ダイオードＤ２のアノード側となるように直列接続され、該ダイオードＤ２のカソード側は前記コンデンサＣ０の正極側に接続され、ダイオードＤ１とダイオードＤ２との接続点ｂにコンデンサＣ１の正極側が接続され、コンデンサＣ１の負極側がトランスＴの他方点０２に接続されると共に、ダイオードＤ０のカソード側とコンデンサＣ０の正極側との間に、ダイオードＤ１側とダイオードＤ０側に流れる電流を分流するようにインピーダンスをマッチングさせるためのインピーダンス整合用の素子Ｚ１を挿入し、ダイオードＤ１、ダイオードＤ２、コンデンサＣ１、インピーダンス整合用の素子Ｚ１からなる補助整流回路ＳＣを含むことを特徴とするシリーズ電源の交流入力整流出力変換回路。
【請求項２】
前記トランスＴの二次側の一方点０１と前記整流ダイオードＤ１との間に、整流ダイオードＤ１に流れる交流波形の位相をずらせるためのコイルＩＬを挿入した事を特徴とする請求項１に記載の補助整流回路ＳＣを含むことを特徴とするシリーズ電源の交流入力整流出力変換回路。
【請求項３】
前記インピーダンス整合用の素子Ｚ１として、ダイオード若しくは抵抗若しくはコイルのいずれかのひとつから選択された素子からなることを特徴とする請求項１若しくは請求項２に記載の補助整流回路ＳＣを含むことを特徴とするシリーズ電源の交流入力整流出力変換回路。
【請求項４】
商用電源に接続されたセンタータップ型トランスＴの二次側の点０１にダイオードＤ０ａのアノード側が接続され、該ダイオードＤ０ａのカソード側に負荷Ｌの一方とコンデンサＣ０の正極側が接続され、負荷Ｌの他方とコンデンサＣ０の負極側はトランスＴの二次側中点０Ｃに接続されると共に、前記トランスの二次側の点０２にダイオードＤ０ｂのアノード側が接続され、該ダイオードのカソード側はダイオードＤ０ａのカソード側に接続されたセンタータップ型シリーズ電源の交流入力整流出力変換回路において、上記ダイオードＤ０ａのアノード側と負荷Ｌの一方との間に整流用ダイオードＤ１ａと逆流防止用ダイオードＤ２ａを直列に接続し、整流用ダイオードＤ１ａと逆流防止用ダイオードＤ２ａとの接続点ｂａと上記トランスＴの二次側中点０Ｃとの間にコンデンサＣ１ａをコンデンサＣ１ａの正極側が接続点ｂａ側となるように挿入し、前記ダイオードＤ０ａのカソードと負荷Ｌの一方との間に、ダイオードＤ１ａ側とダイオードＤ０ａ側に流れる電流を分流するようにインピーダンスをマッチングさせるためのインピーダンス整合用の素子Ｚ１を挿入し、ダイオードＤ１ａ、ダイオードＤ２ａ、コンデンサＣ１ａ、インピーダンス整合用の素子Ｚ１からなる補助整流回路ＳＣａと、上記ダイオードＤ０ｂのアノード側と負荷Ｌの一方との間に整流用ダイオードＤ１ｂと逆流防止用ダイオードＤ２ｂを直列に接続し、整流用ダイオードＤ１ｂと逆流防止用ダイオードＤ２ｂとの接続点ｂｂと上記トランスＴの二次側中点０Ｃとの間にコンデンサＣ１ｂをコンデンサＣ１ｂの正極側が接続点ｂｂ側となるように挿入し、前記ダイオードＤ０ｂのカソードと負荷Ｌの一方との間に、ダイオードＤ１ｂ側とダイオードＤ０ｂ側に流れる電流を分流するようにインピーダンスをマッチングさせるための、インピーダンス整合用の素子Ｚ１を挿入し、ダイオードＤ１ｂ、ダイオードＤ２ｂ、コンデンサＣ１ｂ、インピーダンス整合用の素子Ｚ１からなる補助整流回路ＳＣｂとを含むことを特徴とするセンタータップ型シリーズ電源の交流入力整流出力変換回路。
【請求項５】
前記トランスＴの二次側０１と前記整流用ダイオードＤ１ａとの間に、整流用ダイオードＤ１ａに流れる交流波形の位相をずらせるためのコイルＩＬａと該トランスＴの二次側０２と前記整流用ダイオードＤ１ｂとの間に、整流用ダイオードＤ１ｂに流れる交流波形の位相をずらせるためのコイルＩＬｂとを挿入したことを特徴とする請求項４記載の補助整流回路ＳＣａ、ＳＣｂを含むことを特徴とするセンタータップ型シリーズ電源の交流入力整流出力変換回路。
【請求項６】
前記インピーダンス整合用の素子Ｚ１として、ダイオード若しくは抵抗若しくはコイルのいずれかのひとつから選択された素子からなることを特徴とする請求項４若しくは請求項５に記載の補助整流回路ＳＣａ、ＳＣｂを含むことを特徴とするセンタータップ型シリーズ電源の交流入力整流出力変換回路。
【請求項７】
商用電源に接続されたトランスＴの二次側の一方点０１に接続されたダイオードＤ０１とダイオードＤ０２、該トランスＴの二次側の他方点０２に接続されたダイオードＤ０３とダイオードＤ０４からなる全波整流ブリッジ回路を構成し、該ブリッジ回路の直流出力プラス側にはコンデンサＣ０の正極側と負荷Ｌの一方端が、直流出力マイナス側にはコンデンサＣ０の負極側と負荷Ｌの他方端がそれぞれ接続された全波整流ブリッジ型シリーズ電源の交流入力整流出力変換回路において、前記トランスＴの二次側の一方点０１と負荷Ｌの一方端との間に整流用ダイオードＤ１ａと逆流防止用ダイオードＤ２ａの直列接続がダイオードＤ１ａのアノードがトランスＴの二次側の一方点０１に、ダイオードＤ２ａのカソードが負荷Ｌの一方端となるように接続され、整流用ダイオードＤ１ａと逆流防止用ダイオードＤ２ａとの接続点ｂａと前記コンデンサＣ０の負極側との間にコンデンサＣ１ａをコンデンサＣ１ａの正極側が接続点ｂａに接続され、ダイオードＤ０１のカソードと負荷Ｌの一方端との間にダイオードＤ１ａ側とダイオードＤ０１側に流れる電流を分流するようにインピーダンスをマッチングさせるためのインピーダンス整合用の素子Ｚ１が挿入された、ダイオードＤ１ａ、ダイオードＤ２ａ、コンデンサＣ１ａ、インピーダンス整合用の素子Ｚ１からなる補助整流回路ＳＣａと、前記トランスＴの二次側の他方点０２と負荷Ｌの一方端との間に整流用ダイオードＤ１ｂと逆流防止用ダイオードＤ２ｂの直列接続がダイオードＤ１ｂのアノードがトランスＴの二次側の他方点０２に、ダイオードＤ２ｂのカソードが負荷Ｌの一方端となるように接続され、整流用ダイオードＤ１ｂと逆流防止用ダイオードＤ２ｂとの接続点ｂｂと前記コンデンサＣ０の負極側との間にコンデンサＣ１ｂをコンデンサＣ１ｂの正極側が接続点ｂｂに接続され、ダイオードＤ０３のカソードと負荷Ｌの一方端との間にダイオードＤ１ｂ側とダイオードＤ０３側に流れる電流を分流するようにインピーダンスをマッチングさせるためのインピーダンス整合用の素子Ｚ１が挿入された、ダイオードＤ１ｂ，ダイオードＤ２ｂ、コンデンサＣ１ａ、インピーダンス整合用の素子Ｚ１からなる補助整流回路ＳＣｂを含むことを特徴とする全波整流ブリッジ型シリーズ電源の交流入力整流出力変換回路。
【請求項８】
前記トランスＴの二次側の一方点０１と前記整流用ダイオードＤ１ａとの間に整流用ダイオードＤ１ａに流れる交流波形の位相をずらせるためのコイルＩＬａと、該トランスＴの二次側の他方点０２と前記整流用ダイオードＤ１ｂとの間に整流用ダイオードＤ１ｂに流れる交流波形の位相をずらせるためのコイルＩＬｂとを挿入したことを特徴とする請求項７記載の補助整流回路ＳＣａ、ＳＣｂを含むことを特徴とするブリッジ型シリーズ電源の交流入力整流出力変換回路。
【請求項９】
前記インピーダンス整合用の素子Ｚ１としてダイオード若しくは抵抗若しくはコイルのいずれか一つから選択された素子からなることを特徴とする請求項７若しくは請求項８に記載の補助整流回路ＳＣａ、ＳＣｂを含むことを特徴とするブリッジ型シリーズ電源の交流入力整流出力変換回路。
【請求項１０】
負荷Ｌ１と負荷Ｌ２の直列体に負荷Ｌ１に並列に接続されたコンデンサＣ０ａと、負荷Ｌ２に並列に接続されたコンデンサＣ０ｂに、商用電源に接続された中点付きトランスＴの二次側の一方点０１と二次側の他方点０２間に接続されたダイオードＤ０１、Ｄ０２、Ｄ０３，Ｄ０４からなる全波整流回路Ｂと該回路Ｂのプラス出力は負荷Ｌ１の一方に接続し、該回路Ｂのマイナス出力は負荷Ｌ２の他方に接続し、前記トランスＴの中点０Ｃは負荷Ｌ１と負荷Ｌ２の接続点中点に接続された中点付ブリッジ型シリーズ電源の交流入力整流出力変換回路において、前記トランスＴの二次側の一方点０１と負荷Ｌ１との間に、整流用ダイオードＤ１ａと逆流防止用ダイオードＤ２ａを直列に接続し、整流用ダイオードＤ１ａと逆流防止用ダイオードＤ２ａとの接続点ｂａと前記コンデンサＣ０ａの負極側との間にコンデンサＣ１ａの正極側が接続点ｂａ側となるようにコンデンサＣ１ａを接続し、前記全波整流回路Ｂのプラス出力側のダイオードＤ０１と負荷Ｌ１との間に、ダイオードＤ１ａ側とダイオードＤ０１側に流れる電流を分流するようにインピーダンスをマッチングさせるためのインピーダンス整合用の素子Ｚ１を挿入した補助整流回路ＳＣａと、前記トランスＴの二次側の他方点０２と負荷Ｌ２の負極側との間に、整流用ダイオードＤ１ｂと逆流防止用ダイオードＤ２ｂを直列に接続し、この直列体のカソード側がトランスの他方点０２に接続され、整流用ダイオードＤ１ｂと逆流防止用ダイオードＤ２ｂとの接続点ｂｂと、前記コンデンサＣ０ｂの正極側との間にコンデンサＣ１ｂの負極側が接続点ｂｂとなるようにコンデンサＣ１ｂを接続し、前記全波整流回路Ｂのマイナス出力側のダイオードＤ０４と負荷Ｌ２の負極側との間に、ダイオードＤ２ｂ側とダイオードＤ０４側に流れる電流を分流するようにインピーダンスをマッチングさせるためのインピーダンス整合用の素子Ｚ２を挿入した補助整流回路ＳＣｂと、を含むことを特徴とする中点付ブリッジ型シリーズ電源の交流入力整流出力変換回路。
【請求項１１】
前記トランスＴの二次側の一方点０１と前記整流用ダイオードＤ１ａとの間に、整流用ダイオードＤ１ａに流れる交流波形の位相をずらせるためのコイル１Ｌａと、該トランスＴの二次側の他方点０２と前記整流用ダイオードＤ１ｂとの間に、整流用ダイオードＤ１ｂに流れる交流波形の位相をずらせるためのコイル１Ｌｂとを挿入したことを特徴とする請求項１０記載の補助整流回路ＳＣａ、ＳＣｂを含むことを特徴とする中点付ブリッジ型シリーズ電源の交流入力整流出力変換回路。
【請求項１２】
前記インピーダンス整合用の素子Ｚ１、Ｚ２として、ダイオード若しくは抵抗若しくはコイルのいずれかのひとつから選択された素子からなることを特徴とする請求項１０若しくは請求項１１に記載の補助整流回路ＳＣａ、ＳＣｂを含むことを特徴とする中点付ブリッジ型シリーズ電源の交流入力整流出力変換回路。
【発明の詳細な説明】
【技術分野】
【０００１】  本発明は交流を直流に変換するシリーズ電源の交流入力直流出力変換回路に関する。
【背景技術】
【０００２】  図７に、従来のシリーズ電源半波整流回路以下コンデンサ・インプット回路と言うこともある。このシリーズ電源半波整流回路１００は、商用電源に接続されたトランスＴの二次側の一方点０１にダイオードＤ０のアノード側が接続され、該ダイオードＤ０のカソード側に負荷Ｌが接続され、負荷Ｌに並列に接続されたコンデンサＣ０とからなる。【０００３】  図７のシリーズ電源半波整流回路において，トランスＴの二次側の一方点０１がプラスになりコンデンサＣ０の電圧より高くなった時、ダイオードＤ０が整流をはじめコンデンサＣ０の充電と負荷Ｌに電流が供給される。コンデンサＣ０の電位がトランスＴの二次側より高くなるとダイオードは、整流を中止、負荷Ｌ側にはコンデンサＣ０が放電を開始する。これを毎サイクル繰り返しおこなう。しかし、ダイオードＤ０にはダイオード順回復時間，逆回復時間の存在とダイオードＤ０にかかる電圧とＣ０電圧との差がきわめて少ない時間帯とが存在する。したがって、この時間帯はダイオードＤ０の電流がきわめて少ないため、負荷に供給する電流が欠落する。  現在でもダイオードについて半導体メーカーが当該ダイオードに順回復時間が存在していることを明示していないため、何の疑問ももたずシリーズ電源回路を採用して現在に至っている。なお改良の対策と言えば後段に定電圧回路又はリップル改善回路を加えるのが現状である、しかしながら定電圧回路を用いても欠落している電流を補うのは基本的に難しい。【０００４】  なお、図７は従来のシリーズ電源半波整流のコンデンサ・インプット回路だが，シリーズ電源回路は、全波整流回路（センタータップ型）、全波整流回路（ブリッジ型）、中点付整流回路（ブリッジ型）のようなものがある。また、シリーズ電源、チョーク・インプット回路も同様で、これらの回路はすべて動作原理と作用は同一である。ここではこれら回路を、交流入力整流出力変換回路と称す。【特許文献１】特開平０７−１３１３１８号
【発明の開示】
【発明が解決しようとする課題】
【０００５】  図８は従来の半波整流コンデンサ・インプット回路のダイオードＤ０の整流波形とリップル波形を示す。以下、この図に基づいて本発明が解決しようとする課題を説明する。図における、Ｈａ点は、リップルの谷間においてコンデンサ放電からダイオード整流に切り替わるときダイオードはそのダイオードの持っている順回復時間（電圧がかかっても電流の流れない時間）と印加微小電圧状態で低インピーダンスのコンデンサ充電時間があるために必要負荷電流供給に到達するまでの合計時間、すなわち、例えば約数１００μｓの電流欠落が理論的に存在する。Ｈｂ点では、ダイオードにかかる電圧が小さくなり、負荷電流より整流電流が下がる時間とダイオードの逆回復時間（負荷側から見るとショート状態）が存在し、この間、負荷には電流が供給されないことになる。従って、Ｈａ、Ｈｂ点は負荷電流が流れない時間帯が存在することになる。
【課題を解決するための手段】
【０００６】  上記目的を達成するために請求項１に記載の発明は、  商用電源に接続されたトランスＴの二次側の一方点０１にダイオードＤ０のアノード側が接続され、該ダイオードＤ０のカソード側に負荷Ｌの一方が接続され、負荷Ｌの他方はトランスＴの他方点０２に接続され、該負荷Ｌに並列に接続されたコンデンサＣ０とからなるシリーズ電源の交流入力整流出力変換回路において、上記ダイオードＤ０のアノード側に整流用ダイオードＤ１のアノード側が、該ダイオードＤ１のカソード側には逆流防止用ダイオードＤ２のアノード側となるように直列接続され、該ダイオードＤ２のカソード側は前記コンデンサＣ０の正極側に接続され、ダイオードＤ１とダイオードＤ２との接続点ｂにコンデンサＣ１の正極側が接続され、コンデンサＣ１の負極側がトランスＴの他方点０２に接続されると共に、ダイオードＤ０のカソード側とコンデンサＣ０の正極側との間に、ダイオードＤ１側とダイオードＤ０側に流れる電流を分流するようにインピーダンスをマッチングさせるためのインピーダンス整合用の素子Ｚ１を挿入し、ダイオードＤ１、ダイオードＤ２、コンデンサＣ１、インピーダンス整合用の素子Ｚ１からなる補助整流回路ＳＣを含むことを特徴とするシリーズ電源の交流入力整流出力変換回路。【０００７】上記の請求項１に記載の発明の作用は、商用電源の電圧がコンデンサＣ０以上の電圧になるとダイオードＤ０に電流が流れコンデンサＣ０に充電が開始される。同時に負荷にも電流が供給される。この時、請求項２で述べたコイルＩＬの作用により、コンデンサＣ１には位相がずれて（遅れて）充電される。交流電圧波形がピークを過ぎて下降し、コンデンサＣ０の充電電圧よりも下がった時に、コンデンサＣ０から負荷Ｌに電流が供給される。コンデンサＣ０の電圧が低下した時に、コンデンサＣ１から逆流防止用ダイオードＤ２を通して負荷に電流を流し、負荷ＬにはコンデンサＣ０からの電流不足分と、ダイオードの順回復時間帯と逆回復時間帯の電流の流れない時間帯をも電流を流し電流の欠落をカバーする。詳しく説明すると、〔図８〕は、従来のシリーズ電源半波整流回路である。図７の波形図、ダイオードの持っている順回復時間Ｈａ点，逆回復時間Ｈｂ点、ダイオードの整流開始、終了時での負荷電流が欠落する、時間帯を示す。〔図９〕は本発明の補助整流回路ＳＣを付加した、シリーズ電源半波整流回路、図２の波形図、コンピュータ解析の逆流防止用ダイオードＤ２の波形ＨＤ２となる。今まで欠落していた電流が完全に充填され、これらを補うことでＨＤ０の順回復時間帯Ｈａ点をＨａａ点に、逆回復時間帯Ｈｂ点をＨｂｂ点に押し上げる、なお整流素子はショットキ・バリヤ・ダイオードを使用することで、ノイズのない完璧なシリーズ電源半波整流回路が出来上がる。〔図９〕のリップル波形Ｖａで比較すると補助回路付は従来回路に比べＰ−Ｐで４Ｖが２．１５Ｖに減り本発明半波整流回路で４６％の改善がみられる、これだけ改善が得られるとノイズ対策用のリップルフィルターレスの可能性が十分考えられる。【０００８】請求項２は、請求項１の発明の回路について、効率をさらに上げるため、前記トランスＴの二次側の一方点０１と前記整流用ダイオードＤ１の間に��整流用ダイオードＤ１に流れ込む交流波形の位相をずらせるためのコイルＩＬを挿入した補助整流回路ＳＣを含むことを特徴とするシリーズ電源の交流入力整流出力変換回路を提供し図２に示す。【０００９】請求項２の発明は、図１の回路と同じ作用がえられるが、コイルＩＬを挿入することで整流用ダイオードＤ１に加わる交流波形の電圧の位相をずらせることにより、ダイオードＤ１の整流開始時間が遅れるとその分ダイオードＤ２から流れ出る電流もおおきくなりリップルの効率が上昇する。【００１０】請求項３の発明は、図１、図２の選択肢として、前記インピーダンス整合用の素子Ｚ１として、ダイオード若しくは抵抗若しくはコイルのいずれかの一つから選択された素子からなることを特徴とする請求項１若しくは請求項２に記載の補助整流回路ＳＣを含むことを特徴とするシリーズ電源の交流入力整流出力変換回路を提供し図３に示す。【００１１】  請求項１のインピーダンス整合用の素子Ｚ１は、補助整流回路の整流用ダイオードＤ１側と整流用ダイオードＤ０側に電流が分流するように、整流用ダイオードＤ０と該インピーダンス整合用の素子Ｚ１で直列回路を構成し、補助整流回路側と該直列回路側とのインピーダンスをマッチングさせるための素子である。補助整流回路側には、整流用ダイオードＤ１、逆流防止用ダイオードＤ２、コンデンサＣ１、で構成され、前記直列回路側は整流用ダイオードＤ０、とインピーダンス整合用の素子Ｚ１、との直列回路で構成され、該直列回路のインピーダンスと補助整流回路側のインピーダンスをインピーダンス整合用の素子Ｚ１で等価にし直列回路側と補助整流回路側に電流が分流するので回路は動作する。
請求項２には補助整流回路に位相をずらせるコイルＩＬが挿入されている。よって、請求項２のインピーダンス整合用の素子Ｚ１の定義は、整流用ダイオードＤ１、逆流防止用ダイオードＤ２、コンデンサＣ１、コイルＩＬによる回路と、整流用ダイオードＤ０、インピーダンス整合用の素子Ｚ１による直列回路とのインピーダンスとがマッチングするように設定された素子となる。【００１２】  他の実施例として請求項４の発明は、  商用電源に接続されたセンタータップ型トランスＴの二次側の点０１にダイオードＤ０ａのアノード側が接続され、該ダイオードＤ０ａのカソード側に負荷Ｌの一方とコンデンサＣ０の正極側が接続され、負荷Ｌの他方とコンデンサＣ０の負極側はトランスＴの二次側中点に接続されると共に、前記トランスの二次側の点０２にダイオードＤ０ｂのアノード側が接続され、該ダイオードのカソード側はダイオードＤ０ａのカソード側に接続されたセンタータップ型シリーズ電源の交流入力整流出力変換回路において、上記ダイオードＤ０ａのアノード側と負荷Ｌの一方との間に整流用ダイオードＤ１ａと逆流防止用ダイオードＤ２ａを直列に接続し、整流用ダイオードＤ１ａと逆流防止用ダイオードＤ２ａとの接続点ｂａと上記トランスＴの二次側中点との間にコンデンサＣ１ａをコンデンサＣ１ａの正極側が接続点ｂａ側となるように挿入し、前記ダイオードＤ０ａのカソードと負荷Ｌの一方との間に、ダイオードＤ１ａ側とダイオードＤ０ａ側に流れる電流を分流するようにインピーダンスをマッチングさせるためのインピーダンス整合用の素子Ｚ１を挿入し、ダイオードＤ１ａ、ダイオードＤ２ａ、コンデンサＣ１ａ、インピーダンス整合用の素子Ｚ１からなる補助整流回路ＳＣａと、上記ダイオードＤ０ｂのアノード側と負荷Ｌの一方との間に整流用ダイオードＤ１ｂと逆流防止用ダイオードＤ２ｂを直列に接続し、整流用ダイオードＤ１ｂと逆流防止用ダイオードＤ２ｂとの接続点ｂｂと上記トランスＴの二次側中点との間にコンデンサＣ１ｂをコンデンサＣ１ｂの正極側が接続点ｂｂ側となるように挿入し、前記ダイオードＤ０ｂのカソードと負荷Ｌの一方との間に、ダイオードＤ１ｂ側とダイオードＤ０ｂ側に流れる電流を分流するようにインピーダンスをマッチングさせるための、インピーダンス整合用の素子Ｚ１を挿入し、ダイオードＤ１ｂ、ダイオードＤ２ｂ、コンデンサＣ１ｂ、インピーダンス整合用の素子Ｚ１からなる補助整流回路ＳＣｂとを含むことを特徴とするセンタータップ型シリーズ電源の交流入力整流出力変換回路である。【００１３】請求項４の発明の作用は、図４の回路からコイルＩＬａ、ＩＬｂを除くと、図１の回路と同じ作用により同様の効果が得られ、半波整流回路がセンタータップ型回路となり、違いはインピーダンス整合用の素子Ｚ１が補助整流回路ＳＣａ、ＳＣｂで共有して使用できる。【００１４】請求項５の発明は、さらに効率を上げるため、前記トランスＴの二次側０１と前記整流用ダイオードＤ１ａとの間に、整流用ダイオードＤ１ａに流れる交流波形の位相をずらせるためのコイル１Ｌａと、該トランスＴの二次側０２と前記整流用ダイオードＤ１ｂとの間に、整流用ダイオードＤ１ｂに流れる交流波形の位相をずらせるためのコ��ル１Ｌｂを挿入したこと、を特徴とする請求項４記載の補助整流回路ＳＣａ、ＳＣｂを含むことを特徴とするセンタータップ型シリーズ電源の交流入力整流出力変換回路を提供し図４に示す。【００１５】コイルＩＬａ、ＩＬｂを挿入した請求項５の発明は、段落０００９で述べた同じ作用により同様の効果が得られる。【００１６】請求項６の発明は、センタータップ型回路の選択肢として前記インピーダンス整合用の素子Ｚ１として、ダイオード若しくは抵抗若しくはコイルのいずれかのひとつから選択された素子からなることを特徴とする請求項４若しくは請求項５に記載の補助整流回路ＳＣａ、ＳＣｂを含むことを特徴とするセンタータップ型シリーズ電源の交流入力整流出力変換回路を提供する。【００１７】  請求項４のインピーダンス整合用の素子Ｚ１は、補助整流回路ＳＣａの整流用ダイオードＤ１ａ側と整流用ダイオードＤ０ａ側に電流が分流するように、整流用ダイオードＤ０ａとインピーダンスをマッチングさせるためのインピーダンス整合用の素子Ｚ１で直列回路を構成し、補助整流回路側と該直列回路側とのインピーダンスをマッチングさせる。補助整流回路側は、整流用ダイオードＤ１ａ、逆流防止用ダイオードＤ２ａ、コンデンサＣ１ａで構成される。
請求項４のインピーダンス整合用の素子Ｚ１は、補助整流回路ＳＣｂの整流用ダイオードＤ１ｂ側と整流用ダイオードＤ０ｂ側に電流が分流するように、整流用ダイオードＤ０ｂとインピーダンスをマッチングさせるためのインピーダンス整合用の素子Ｚ１で直列回路を構成し、補助整流回路側と該直列回路側とのインピーダンスをマッチングさせる。補助整流回路側は、整流用ダイオードＤ１ｂ、逆流防止用ダイオードＤ２ｂ、コンデンサＣ１ｂで構成される。
補助整流回路ＳＣａ、ＳＣｂ共に、直列回路側のインピーダンスと補助整流回路側のインピーダンスをインピーダンス整合用の素子Ｚ１で等価にして、直列回路側と補助整流回路側に電流が分流することで回路は動作する
請求項５には補助整流回路側に位相をずらせるコイルＩＬａ、ＩＬｂが挿入されている。よって、請求項５のインピーダンス整合用の素子Ｚ１の定義は、整流用ダイオードＤ１ａ、逆流防止用ダイオードＤ２ａ、コンデンサＣ１ａ、コイルＩＬａによる回路と、整流用ダイオードＤ０ａ、インピーダンス整合用の素子Ｚ１による直列回路とのインピーダンスとがマッチングするように設定された素子となる。さらに、インピーダンス整合用の素子Ｚ１の定義は、整流用ダイオードＤ１ｂ、逆流防止用ダイオードＤ２ｂ、コンデンサＣ１ｂ、コイルＩＬｂによる回路と、整流用ダイオードＤ０ｂ、インピーダンス整合用の素子Ｚ１による直列回路のインピーダンスとがマッチングするように設定された素子ともなる。【００１８】他の実施例として、商用電源に接続されたトランスＴの二次側の一方点０１に接続されたダイオードＤ０１とダイオードＤ０２、該トランスＴの二次側の他方点０２に接続されたダイオードＤ０３とダイオードＤ０４からなる全波整流ブリッジ回路を構成し、該ブリッジ回路の直流出力プラス側にはコンデンサＣ０の正極側と負荷Ｌの一方端が、直流出力マイナス側にはコンデンサＣ０の負極側と負荷Ｌの他方端がそれぞれ接続された全波整流ブリッジ型シリーズ電源の交流入力整流出力変換回路において、前記トランスＴの二次側の一方点０１と負荷Ｌの一方端との間に整流用ダイオードＤ１ａと逆流防止用ダイオードＤ２ａの直列接続がダイオードＤ１ａのアノードがトランスＴの二次側の一方点０１に、ダイオードＤ２ａのカソードが負荷Ｌの一方端となるように接続され、整流用ダイオードＤ１ａと逆流防止用ダイオードＤ２ａとの接続点ｂａと前記コンデンサＣ０の負極側との間にコンデンサＣ１ａをコンデンサＣ１ａの正極側が接続点ｂａに接続され、ダイオードＤ０１のカソードと負荷Ｌの一方端との間にダイオードＤ１ａ側とダイオードＤ０１側に流れる電流を分流するようにインピーダンスをマッチングさせるためのインピーダンス整合用の素子Ｚ１が挿入された、ダイオードＤ１ａ、ダイオードＤ２ａ、コンデンサＣ１ａ、インピーダンス整合用の素子Ｚ１からなる補助整流回路ＳＣａと、前記トランスＴの二次側の他方点０２と負荷Ｌの一方端との間に整流用ダイオードＤ１ｂと逆流防止用ダイオードＤ２ｂの直列接続がダイオードＤ１ｂのアノードがトランスＴの二次側の他方点０２に、ダイオードＤ２ｂのカソードが負荷Ｌの一方端となるように接続され、整流用ダイオードＤ１ｂと逆流防止用ダイオードＤ２ｂとの接続点ｂｂと前記コンデンサＣ０の負極側との間にコンデンサＣ１ｂをコンデンサＣ１ｂの正極側が接続点ｂｂに接続され、ダイオードＤ０３のカソードと負荷Ｌの一方端との間にダイオードＤ１ｂ側とダイオードＤ０３側に流れる電流を分流するようにインピーダンスをマッチングさせるためのインピーダンス整合用の素子Ｚ１が挿入された、ダイオードＤ１ｂ，ダイオードＤ２ｂ、コンデンサＣ１ａ、インピーダンス整合用の素子Ｚ１からなる補助整流回路ＳＣｂを含むことを特徴とする全波整流ブリッジ型シリーズ電源の交流入力整流出力変換回路を請求項７に示す。【００１９】請求項７の発明の作用は、図１の回路と基本的に同じ作用により同様の効果が得られ、半波整流回路がブリッジ型整流回路となり、違いはインピーダンス整合用の素子Ｚ１が補助整流回路ＳＣａ、ＳＣｂで共有して使用できる。【００２０】請求項７の発明に、さらに効率を上げるため、前記トランスＴの二次側の一方点０１と前記整流用ダイオードＤ１ａとの間に整流用ダイオードＤ１ａに流れる交流波形の位相をずらせるためのコイル１Ｌａと、該トランスＴの二次側の他方点０２と前記整流用ダイオードＤ１ｂとの間に整流用ダイオードＤ１ｂに流れる交流波形の位相をずらせるためのコイル１Ｌｂと、を挿入したことを特徴とする請求項第７項記載の補助整流回路ＳＣａ、ＳＣｂを含むことを特徴とするブリッジ型シリーズ電源の交流入力整流出力変換回路を提供し図５に示す。【００２１】請求項８の発明の作用は、図２の回路と同じ作用により同様の効果が得られる。【００２２】請求項９の発明は、ブリッジ型整流回路の選択肢として前記インピーダンス整合用素子Ｚ１として、ダイオード若しくは抵抗若しくはコイルのいずれかのひとつから選択された素子からなることを特徴とする請求項７若しくは請求項８に記載の補助整流回路ＳＣａ、ＳＣｂを含むことを特徴とするブリッジ型シリーズ電源の交流入力整流出力変換回路を提供する。【００２３】  請求項７のインピーダンス整合用の素子Ｚ１は、補助整流回路ＳＣａの整流用ダイオードＤ１ａ側と整流用ダイオードＤ０１側に電流が分流するように、整流用ダイオードＤ０１とインピーダンスをマッチングさせるためのインピーダンス整合用の素子Ｚ１で直列回路を構成し、補助整流回路側と該直列回路側とのインピーダンスをマッチングさせる。補助整流回路側は、整流用ダイオードＤ１ａ、逆流防止用ダイオードＤ２ａ、コンデンサＣ１ａで構成される。
請求項７のインピーダンス整合用の素子Ｚ１は、補助整流回路ＳＣｂの整流用ダイオードＤ１ｂ側と整流用ダイオードＤ０３側に電流が分流するように、整流用ダイオードＤ０ｂとインピーダンスをマッチングさせるためのインピーダンス整合用の素子Ｚ１で直列回路を構成し、補助整流回路側と該直列回路側とのインピーダンスをマッチングさせる。補助整流回路側は、整流用ダイオードＤ１ｂ、逆流防止用ダイオードＤ２ｂ、コンデンサＣ１ｂで構成される。
補助整流回路ＳＣａ、ＳＣｂ共に、直列回路側のインピーダンスと補助整流回路側のインピーダンスをインピーダンス整合用の素子Ｚ１で等価にして、直列回路側と補助整流回路側に電流が分流することで回路は動作する
請求項８には補助整流回路側に位相をずらせるコイルＩＬａ、ＩＬｂが挿入されている。よって、請求項８のインピーダンス整合用の素子Ｚ１の定義は、整流用ダイオードＤ１ａ、逆流防止用ダイオードＤ２ａ、コンデンサＣ１ａ、コイルＩＬａによる回路と、整流用ダイオードＤ０１、インピーダンス整合用の素子Ｚ１による直列回路とのインピーダンスとがマッチングするように設定された素子となる。さらに、インピーダンス整合用の素子Ｚ１の定義は、整流用ダイオードＤ１ｂ、逆流防止用ダイオードＤ２ｂ、コンデンサＣ１ｂ、コイルＩＬｂによる回路と、整流用ダイオードＤ０３、インピーダンス整合用の素子Ｚ１による直列回路のインピーダンスとがマッチングするように設定された素子ともなる。【００２４】他の実施例は、請求項１０に示し、負荷Ｌ１と負荷Ｌ２の直列体に負荷Ｌ１に並列に接続されたコンデンサＣ０ａと、負荷Ｌ２に並列に接続されたコンデンサＣ０ｂに、商用電源に接続された中点付きトランスＴの二次側の一方点０１と二次側の他方点０２間に接続されたダイオードＤ０１、Ｄ０２、Ｄ０３，Ｄ０４からなる全波整流回路Ｂと該回路Ｂのプラス出力は負荷Ｌ１の一方に接続し、該回路Ｂのマイナス出力は負荷Ｌ２の他方に接続し、前記トランスＴの中点０Ｃは負荷Ｌ１と負荷Ｌ２の接続点中点に接続された中点付ブリッジ型シリーズ電源の交流入力整流出力変換回路において、前記トランスＴの二次側の一方点０１と負荷Ｌ１との間に、整流用ダイオードＤ１ａと逆流防止用ダイオードＤ２ａを直列に接続し、整流用ダイオードＤ１ａと逆流防止用ダイオードＤ２ａとの接続点ｂａと前記コンデンサＣ０ａの負極側との間にコンデンサＣ１ａの正極側が接続点ｂａ側となるようにコンデンサＣ１ａを接続し、前記全波整流回路Ｂのプラス出力側のダイオードＤ０１と負荷Ｌ１との間に、ダイオードＤ１ａ側とダイオードＤ０１側に流れる電流を分流するようにインピーダンスをマッチングさせるためのインピーダンス整合用の素子Ｚ１を挿入した補助整流回路ＳＣａと、前記トランスＴの二次側の他方点０２と負荷Ｌ２の負極側との間に、整流用ダイオードＤ１ｂと逆流防止用ダイオードＤ２ｂを直列に接続し、この直列体のカソード側がトランスの他方点０２に接続され、整流用ダイオードＤ１ｂと逆流防止用ダイオードＤ２ｂとの接続点ｂｂと、前記コンデンサＣ０ｂの正極側との間にコンデンサＣ１ｂの負極側が接続点ｂｂとなるようにコンデンサＣ１ｂを接続し、前記全波整流回路Ｂのマイナス出力側のダイオードＤ０４と負荷Ｌ２の負極側との間に、ダイオードＤ２ｂ側とダイオードＤ０４側に流れる電流を分流するようにインピーダンスをマッチングさせるためのインピーダンス整合用の素子Ｚ２を挿入した補助整流回路ＳＣｂと、を含むことを特徴とする中点付ブリッジ型シリーズ電源の交流入力整流出力変換回路を提供する。【００２５】請求項１０の発明の作用は、図１の回路と基本的に同じ作用により同様の効果が得られ、半波整流回路が中点付ブリッジ型整流回路なり、違いはインピーダンス整合用の素子Ｚ１、Ｚ２が独立し、補助整流回路もＳＣａ、ＳＣｂが独立する。【００２６】請求項１０の発明に、さらに効率を上げるため請求項１１で、前記トランスＴの二次側の一方点０１と前記整流用ダイオードＤ１ａとの間に、整流用ダイオードＤ１ａに流れる交流波形の位相をずらせるためのコイル１Ｌａと、該トランスＴの二次側の他方点０２と前記整流用ダイオードＤ１ｂとの間に、整流用ダイオードＤ１ｂに流れる交流波形の位相をずらせるためのコイル１Ｌｂとを挿入したことを特徴とする請求項１０記載の補助整流回路ＳＣａ、ＳＣｂを含むことを特徴とする中点付ブリッジ型シリーズ電源の交流入力整流出力変換回路を提供する。【００２７】  請求項１１の発明の作用は、図２の回路と基本的に同じ作用により同様の効果が得られる。【００２８】請求項１２の発明は、  前記インピーダンス整合用の素子Ｚ１、Ｚ２として、ダイオード若しくは抵抗若しくはコイルのいずれかのひとつから選択された素子からなることを特徴とする請求項１０若しくは請求項１１に記載の補助整流回路ＳＣａ、ＳＣｂを含むことを特徴とする中点付ブリッジ型シリーズ電源の交流入力整流出力変換回路を提供する。【００２９】  請求項１０のインピーダンス整合用の素子Ｚ１は、補助整流回路ＳＣａの整流用ダイオードＤ１ａ側と整流用ダイオードＤ０１側に電流が分流するように、整流用ダイオードＤ０１とインピーダンスをマッチングさせるためのインピーダンス整合用の素子Ｚ１で直列回路を構成し、補助整流回路側と該直列回路側とのインピーダンスをマッチングさせる。補助整流回路側は、整流用ダイオードＤ１ａ、逆流防止用ダイオードＤ２ａ、コンデンサＣ１ａで構成される。
請求項１０のインピーダンス整合用の素子Ｚ２は、補助整流回路ＳＣｂの整流用ダイオードＤ１ｂ側と整流用ダイオードＤ０４側に電流が分流するように、整流用ダイオードＤ０４とインピーダンスをマッチングさせるためのインピーダンス整合用の素子Ｚ２で直列回路を構成し、補助整流回路側と該直列回路側とのインピーダンスをマッチングさせる。補助整流回路側は、整流用ダイオードＤ１ｂ、逆流防止用ダイオードＤ２ｂ、コンデンサＣ１ｂで構成される。
補助整流回路ＳＣａ、ＳＣｂ共に、直列回路側のインピーダンスと補助整流回路側のインピーダンスをインピーダンス整合用の素子Ｚ１、Ｚ２で等価にして、直列回路側と補助整流回路側に電流が分流することで回路は動作する
請求項１１には補助整流回路側に位相をずらせるコイルＩＬａ、ＩＬｂが挿入されている。よって、請求項１１のインピーダンス整合用の素子Ｚ１の定義は、整流用ダイオードＤ１ａ、逆流防止用ダイオードＤ２ａ、コンデンサＣ１ａ、コイルＩＬａによる回路と、整流用ダイオードＤ０１、インピーダンス整合用の素子Ｚ１による直列回路とのインピーダンスとがマッチングするように設定された素子となる。インピーダンス整合用の素子Ｚ２の定義は、整流用ダイオードＤ１ｂ、逆流防止用ダイオードＤ２ｂ、コンデンサＣ１ｂ、コイルＩＬｂによる回路と、整流用ダイオードＤ０４、インピーダンス整合用の素子Ｚ２による直列回路とがマッチングするように設定された素子となる。
【発明の効果】
【００３０】  本願発明によれば従来のシリーズ電源回路で、ダイオードの整流開始時、終了時に発生していた、負荷への電流欠落は、補助整流回路を含むことを特徴とするシリーズ電源回路が負荷への電流欠落を補填することで、理想の交流入力直流出力変換回路が完成される。  ＣＤ時代の２０μｓを人間の脳が判断する時世で、オーディオ用電源等で、約数１００μｓの欠落を埋めることで、理想電源が完成され、完璧な第２世代シリーズ電源回路となりうる。またマイコン電源としての利用可能性も出てくる。
【発明を実施するための最良の形態】以下、図面を参照して本発明の実施形態について詳細に説明する。【００３１】（第１の実施形態）  図１は、本発明の第１の実施形態による補助整流回路を付加したシリーズ電源回路の半波整流回路構成図である。図１において、従来型シリーズ電源半波整流回路図７と同じ構成要素には同じ符号が付してある。【００３２】第１の実施形態は、図１に示すように、この実施形態は図７に示す従来の回路に整流用ダイオードＤ１、逆流防止用ダイオードＤ２、コンデンサＣ１、インピーダンスマッチング用素子Ｚ１からなる補助整流回路ＳＣが付加されている。【００３３】補助整流回路の整流用ダイオードＤ１に電流を流すためには、整流ダイオードＤ０とインピーダンス整合用の素子Ｚ１で直列回路を構成し、該直列回路と補助整流回路（整流用ダイオードＤ１、逆流防止用ダイオードＤ２、コンデンサＣ１、）のインピーダンスが等価にならないと、整流ダイオードＤ１に電流は流れない。すなわち、補助整流回路と等価になれば整流ダイオードＤ１に電流は流れる。パラメーターが多いので各定数素子の定数設定はスパイスを使用したコンピュータ設計で定数をきめるのが望ましい。【００３４】図９は、補助電源回路の整流ダイオードＤ１に電流が流れ、コンデンサＣ１に蓄えられた電流が逆流防止用Ｄ２を通してＣ０と負荷Ｌに流れる。逆流防止用ダイオードＤ２の電流波形とリップル波形。逆流防止用ダイオードＤ２の電流が流れることで従来回路では電流の流れ得ない時間帯を埋めることで、リップル波形が大幅に改善される。【００３５】（第２の実施形態）図２は、本発明の第２の実施形態による補助整流回路を含むことを特徴とするコンデンサ・インプット回路半波整流回路に交流波形の位相をずらせるためにコイル１Ｌが挿入された構成図である。図２において、第１の実施形態による補助整流回路を含むことを特徴とするシリーズ電源半波整流回路図１と同じ構成要素には同じ符号が付してある。【００３６】第２の実施形態は、図１の回路と同じ作用により同様の効果が得られるが、補助整流回路の整流ダイオードＤ１の前に交流波形の位相をずらせるためのコイルＩＬが挿入されたことで整流ダイオードＤ１の整流開始時間が遅れその分逆流防止用ダイオードＤ２の放電時間が長くなり、結果的にリップルの改善が図１の回路より改善される。【００３７】（第３の実施形態）第３の実施形態は、本発明の第１の実施形態による補助整流回路を含むことを特徴とするシリーズ電源半波整流回路構成である。【００３８】第３の実施形態は、図１の回路と同じ作用により同様の効果がえられる図３は、図１のインピーダンス整合用の素子Ｚ１をダイオードＤ３に置き換えたものである。Ｚ１はインピーダンス整合用の素子なので、抵抗、コイル、ダイオードいずれの素子でも可能である。【００３９】（第４の実施形態）第４の実施形態は、第１の実施形態による補助整流回路を含むことを特徴とするシリーズ電源半波整流回路を全波波整流回路（センタータップ型）に置き変えた回路である、【００４０】  第４の実施形態は第１の実施形態と同じ作用により同様の効果がえられる、全波整流になるため補助電源回路がＳＣａ，ＳＣｂと２つになるが、インピー��ンス整合用素子Ｚ１は共有でき、全波になる分リップルの効率も倍になる。【００４１】（第５の実施形態）  図４は、本発明の第２の実施形態による補助整流回路を含むことを特徴とするシリーズ電源半波整流回路に交流波形の位相をずらせるためのコイル１Ｌが挿入された構成図で、全波整流回路（センタータップ型）に応用したものである。【００４２】  第５の実施形態は、図２の回路と同じ作用により同様の効果がえられる【００４３】（第６の実施形態）第６の実施形態の図４全波整流回路（センタータップ型）は、図２の回路と同じ作用により同様の効果がえられる。図４のＺ１はインピーダンス整合用の素子なので、抵抗、コイル、ダイオードいずれの素子でも可能である。【００４４】（第７の実施形態）第７の実施形態は図５全波整流回路図（ブリッジ型）からコイルＩＬａ、ＩＬｂを除いた実施形態である。第１の実施形態による補助整流回路を含むことを特徴とするシリーズ電源半波整流回路をブリッジ整流回路に置き変えた回路である。【００４５】  第７の実施形態は第１の実施形態と同じ作用により同様の効果がえられる。ブリッジ整流になるため補助電源回路がＳＣａ，ＳＣｂと２つになるが、インピーダンス整合用の素子Ｚ１は共有でき、両波になる分リップルの効率も倍になる。【００４６】（第８の実施形態）第８の実施形態は図５の回路であり、本発明の第２の実施形態による補助整流回路を含むことを特徴とするシリーズ電源半波整流回路に交流波形の位相をずらせるためのコイル１Ｌａ、ＩＬｂが挿入された構成で、ブリッジ整流回路に応用したものである。【００４７】第８の実施形態の図５全波整流回路図（ブリッジ型）は、図２の回路と同じ作用により同様の効果がえられる【００４８】（第９の実施形態）第９の実施形態の図５全波整流回路図（ブリッジ型）は、図２、図３の回路と同じ作用により同様の効果がえられる。Ｚ１はインピーダンス整合用の素子なので、抵抗、コイル、ダイオードいずれの素子でも可能である。【００４９】（第１０の実施形態）  第１０の実施形態は第１の実施形態による補助整流回路を含むことを特徴とするシリーズ電源半波整流回路を中点付ブリッジ整流回路に置き変えた回路である。【００５０】第１０の実施形態では第１の実施形態と同じ作用により同様の効果がえられる。中点付ブリッジ整流になるため補助電源回路がＳＣａ，ＳＣｂと２つになり，負荷も２つプラス、マイナス電源になる。インピーダンス整合用素子もＺ１、Ｚ２と２つになり、リップルの効率は（第１の実施形態）図１と同じである。【００５１】（第１１の実施形態）  図６の回路では１Ｌａ、ＩＬｂは省略されているが、第２の実施形態による補助整流回路を含むことを特徴とするシリーズ電源半波整流回路に交流波形の位相をずらせるためのコイルＩＬが挿入された構成を、図６中点付ブリッジ整流回路に応用したものである。【００５２】第１１の実施形態は、図２の回路と同じ作用により同様の効果がえられる。【００５３】（第１２の実施形態）第１２の実施形態の図６の回路は、図２、図３の回路と同じ作用により同様の効果がえられる。インピーダンス整合用の素子Ｚ１、Ｚ２はインピーダンス整合用素子なので抵抗、コイル、ダイオードいずれ���素子でも可能である。【００５４】図２の本発明の回路における素子の具体的数値を、スパイスを使用し、コンピュータで求めた。真空管ヒータ用５Ｖ、２Ａ電源で設計した数値としては、商用電源トランスＴの二次側電圧７．０７Ｖ、ＩＬ＝０．１８ｍＨ、Ｌ＝２．０８Ω、Ｚ１＝０．１Ω、Ｃ０、Ｃ１＝８，２００μＦ、Ｄ０、Ｄ１、Ｄ２はショットキー・バリア・ダイオード（２５Ａ、４５Ｖ定格）である。【００５５】図８，図９が上記回路の波形図である、図９の整流用ダイオードＤ０，Ｄ１，の整流波形ＨＤ０，ＨＤ１の整流波形、バランス良く流れているのが確認できる、ＩＬによる位相の遅れがＨＤ１波形で確認できる、Ｃ１に充電された電流が逆流防止用ダイオードＤ２を通して流れるＨＤ２波形、図８のＨａ，Ｈｂ点を図９Ｈａａ、Ｈｂｂ点に押し上げ、リップル波形Ｖａではピークツーピークで４６％の改善ができる。ちなみに、ＩＬがない時は４３％の改善になる。
【産業上の利用可能性】
【００５６】  オーディオ市場のアンプ電源，周辺機器ＳＡＣＤ、ＤＶＤ、コンピュータ電源、マイコン電源，一般電源装置。
【図面の簡単な説明】
【００５７】
【図１】半波整流回路に補助整流回路を付加した本発明のシリーズ電源回路である。
【図２】半波整流回路に補助整流回路と交流位相調整用コイルを付加した本発明のシリーズ電源回路である。
【図３】半波整流回路に補助整流回路を付加しＺ１にダイオードを使用した本発明のシリーズ電源回路である。
【図４】全波整流回路（センタータップ型）に補助整流回路を付加した本発明のシリーズ電源回路である。
【図５】全波整流回路（ブリッジ型）に補助整流回路を付加した本発明のシリーズ電源回路である。
【図６】中点付（ブリッジ型）全波整流回路に補助整流回路を付加した本発明のシリーズ電源回路である。
【図７】半波整流回路（コンデンサ・インプット回路）。
【図８】半波整流回路のＤ０整流波形とリップル波形図。
【図９】本発明の半波整流回路に補助整流回路を付加したＤ０、Ｄ１、Ｄ２整流波形とリップル波形図である。
【符号の説明】
Ｃ０、Ｃ１、Ｃ２、Ｃ３、Ｃ０ａ、Ｃ０ｂ、Ｃ１ａ、Ｃ１ｂ  電解コンデンサＤ０、Ｄ１、Ｄ２、Ｄ３、Ｄ４、Ｄ１ａ、Ｄ１ｂ、Ｄ２ａ、Ｄ２ｂ、  ダイオードＩＬ、ＩＬ１、ＩＬ２  コイルＲ      抵抗Ｌ、Ｌ１、Ｌ２  負荷抵抗Ｔ      電源トランスＳＣ、ＳＣａ、ＳＣｂ  補助整流回路ＨＣ      リップル波形でのコンデンサ受け持ち期間ＨＤ      リップル波形でのダイオード整流受け持ち期間ＨＤ０    Ｄ０整流波形ＨＤ２    Ｄ２整流波形Ｖａ    リップル波形Ｈａ、Ｈａａ    ダイオード順回復時間帯と微小電圧帯域Ｈｂ、Ｈｂｂ    ダイオード逆回復時間帯と微小電圧帯域１００    半波整流コンデンサ・インプット回路Ｚ１、Ｚ２      インピーダンス整合用の素子
【図１】
0004126357.tif 000002
【図２】
0004126357.tif 000003
【図３】
0004126357.tif 000004
【図４】
0004126357.tif 000005
【図５】
0004126357.tif 000006
【図６】
0004126357.tif 000007
【図７】
0004126357.tif 000008
【図８】
0004126357.tif 000009
【図９】
0004126357.tif 000010